(57)【要約】【課題】無線受信機を分解することなく、内蔵されたＩＦフィルタの特性を測定可能で、この測定結果に基づいて、ＩＦフィルタや局部発振器の経年変化による周波数ずれやリップル発生による変調精度（ＥＶＭ）の悪化を防止することが可能な無線受信機及びそのための局部発振器の調整方法を提供する。【解決手段】局部発振器のローカル信号周波数をスイープさせて、ＩＦフィルタの特性を検出し、周波数ずれを除去するように局部発振器を制御し、また、リップルを相殺するようにデジタルフィルタの特性を制御する。【選択図】図１
2008048292.tif 000002
【特許請求の範囲】
【請求項１】
ローカル周波数信号を発振する局部発振器と、該ローカル周波数信号と受信信号とを混合するミキサと、該ミキサ出力信号から所要周波数帯域信号を抽出する中間周波フィルタと、を含む無線受信機において、
前記局部発振器を制御しローカル周波数を所要範囲でスイープするローカル周波数制御手段と、スイープしたローカル周波数信号によって周波数変換したときの中間周波フィルタ出力信号における受信信号周波数スペクトルと中間周波フィルタの通過帯域との関連情報、中間周波フィルタの通過帯域のリップル特性情報、のいずれか一方、又はその両方を検出するフィルタ特性検出手段と、該フィルタ特性検出手段の検出結果に基づいて前記局部発振器のキャリブレーションを行うローカル周波数調整手段又は中間周波フィルタのリップル補正手段を備えたことを特徴とする無線受信機。
【請求項２】
前記フィルタ特性検出手段が、中間周波フィルタ出力信号をデジタル信号に変換するＡＤ変換器と、フィルタ特性を可変できるデジタルフィルタとを備え、該デジタルに変換した信号に基づいて、中間周波信号に変換された受信信号の周波数スペクトルと中間周波フィルタの通過帯域との関連情報又は中間周波フィルタの通過帯域におけるリップル特性情報のいずれか一方又はその両方を検出し、リップル特性情報を検出した場合はそれに基づいて前記デジタルフィルタを制御することを特徴とする請求項１記載の無線受信機。
【請求項３】
前記局部発振器がＰＬＬ周波数シンセサイザを含み、その可変分周器を制御することによって発振周波数を微小ステップでスイープする手段を備えたことを特徴とする請求項１又は２記載の無線受信機。
【請求項４】
前記局部発振器が変調機能を備えた発振器であり、該変調信号としてスイープ信号を供給することによって、発振周波数を微小ステップでスイープすることを特徴とする請求項１乃至３の何れか一項記載の無線受信機。
【請求項５】
ローカル周波数信号を発振する局部発振器と、該ローカル周波数信号と受信信号とを混合するミキサと、該ミキサ出力信号から所要周波数帯域信号を抽出する中間周波フィルタと、を含む無線受信機における前記局部発振器の調整方法であって、前記局部発振器を制御しローカル周波数を所要範囲でスイープするローカル周波数制御ステップと、スイープしたローカル周波数信号によって周波数変換したときの中間周波フィルタ出力信号における受信信号周波数スペクトルと中間周波フィルタの通過帯域との関連情報、中間周波フィルタの通過帯域におけるリップル特性情報、のいずれか一方、又はその両方を検出するフィルタ特性検出ステップと、該フィルタ特性検出ステップの検出結果に基づいて前記局部発振器のキャリブレーションを行うローカル周波数調整ステップ又は中間周波フィルタのリップル補正ステップを含むことを特徴とする局部発振器の調整方法。
【請求項６】
前記フィルタ特性検出ステップが、中間周波フィルタ出力信号をデジタル信号に変換するＡＤ変換ステップを含み、且つ、前記局部発振器がＰＬＬ周波数シンセサイザの可変分周器を制御することによって又は局部発振器が備えた変調入力端に変調信号としてスイープ信号を供給することによって発振周波数をスイープするステップを含むことを特徴とする請求項５記載の局部発振器の調整方法。
【発明の詳細な説明】
【技術分野】
【０００１】
本発明は、無線受信機及び局部発振器の調整方法に関し、詳細には、ＩＦフィルタ出力信号歪みや位相特性等を改善した無線受信機とその局部発振器の調整方法に関する。
【背景技術】
【０００２】
無線通信機、例えば、業務用やアマチュア無線等の陸上移動無線通信機(Land Mobile Radio：ＬＭＲ)に使用される無線受信機は、スーパヘテロダイン方式が広く採用されている。これは、アンテナ等を介して受信した高周波信号を、所要レベルに増幅後、局部発振器にて発振したローカル周波数信号と混合することによって中間周波信号（Intermediate Frequency：ＩＦ）に変換し、中間周波フィルタ（ＩＦフィルタ）により混合信号から両者の差の周波数成分を抽出すると共に、その通信チャネルとして定められた所要帯域に帯域制限し、必要に応じて更に信号増幅した後、検波処理等がなされる。
【０００３】
この際、ＩＦフィルタの通過帯域と混合器出力の中間周波数帯域とがずれを生じた場合、受信機の性能劣化を生じることになる。このことは、例えば特許文献１や特許文献２により指摘されているとおりである。
即ち、狭帯域伝送を行う場合には隣接チャネル選択度や相互変調特性等を満すために、所要の狭帯域フィルタ特性が要求される。また、近年デジタル化が進んでいるが、狭帯域フィルタにパルス信号を通過させる場合、符号間干渉等を防止するためにロールオフ特性（ナイキスト基準）を満たす必要があるが、受信機のロールオフ特性は中間周波フィルタに持たせるのが一般的である。
【０００４】
しかし、狭帯域になればなるほどフィルタと通過信号帯域の周波数ずれの影響が大きくなる。特許文献１の記載に倣えば、伝送レート８ｋｂｐｓのπ／４ＱＰＳＫ方式でロールオフ率α＝０．２のロールオフ特性とした場合、３ｄＢ帯域幅は中心周波数から片側２ｋＨｚ（周波数の低い側）、２．４ｋＨｚ（周波数の高い側）で理論的に振幅０となるが、中心周波数４５０ｋＨｚ程度のセラミックフィルタ等でこの特性を実現した場合、一般的に製造ばらつき及び温度特性により数百Ｈｚ程度の周波数ずれが生ずる。その結果、受信のＣ／Ｎ劣化、隣接チャネル選択度の劣化となっていた。
【０００５】
そこで、特許文献１では、図６に示すものが提案されている。この例の無線受信機は、アンテナ６１と、その受信高周波信号を増幅すると共に、不要高周波信号を除去するフロントエンド部６２と、第一混合器（ＭＩＸ1）６３と、第一中間周波フィルタ（１st・ＩＦフィルタ）６４と、第二混合器（ＭＩＸ2）６５と、ＲＳＳＩ（受信強度インジケータ）機能を備えた検波器６６と、ＲＳＳＩレベルに基づいて受信品質を判断すると共に、後述する局部発振器制御信号を発生するＣＰＵ６７と、上記第一の混合器６３に第一ローカル周波数信号を供給する第一局部発振器６８と、第二混合器６５に第二のローカル周波数信号を供給する第二局部発振器６９を備えている。なお、上記第一局部発振器６８にＰＬＬ回路を含んでおり、上記ＣＰＵ６４からの制御信号によって内部のＶＣＯ（Voltage Controlled Oscillator：電圧制御発振器）の発振周波数をコントロールするように構成されている。そして、この構成において、ＲＳＳＩが最大になるように、ＣＰＵ６７が第一ローカル信号周波数を変化させることによって、帯域制限するＩＦフィルタ素子の帯域とそれに供給する中間周波数信号の帯域とが一致するようにしている。
【０００６】
特許文献１記載の提案では、中間周波フィルタの周波数ずれを検出し、この周波数ずれに合わせて局部発振器の周波数を可変することにより、等化的にフィルタの周波数ずれを補正することを提案したものである。即ち、周波数シンセサイザから、先ず、ＩＦフィルタの中心周波数近傍の無掃引信号を０ｄＢのレベルで調整対象のＩＦフィルタに供給すると共に、その出力のＲＳＳＩを計測する。次に、ＩＦフィルタの通過帯域より若干広い周波数スペクトルを有するようにＩＦ周波数±Δｆ（例では、±４ｋＨｚ）の範囲で掃引しながら＋３ｄＢのレベルの信号を対象のＩＦフィルタを通過させ、出力信号のＲＳＳＩレベルが上記０ｄＢ入力時の値と同じになる掃引周波数を検出すると、その周波数点が、ＩＦフィルタの高域側、低域側の遮断周波数になるので、両者の平均値を求めれば検査対象ＩＦフィルタの通過帯域の中心周波数値が求まることになる。そこで、この値に基づいて求めた値（本来のＩＦフィルタの中心周波数との差Δｆ）を加味して、第二局部発振器の発振周波数を所要量シフトすることによって、ＩＦフィルタの中心周波数と、そのフィルタに供給される中間周波信号の中心とを一致させるものである。
【０００７】
また、特許文献２には、温度変化にも追従して補正できるように、周囲温度を変化させ得る環境で、帯域制限を行うＩＦフィルタの特性を測定し、夫々の温度における特性データと、それを補うための補正データとを生成すると共に、メモリ装置にこれらの諸データを記憶する。そして、無線受信機には、上記データを記憶したメモリと周囲温度を検出する温度センサとを備え、運用中の周囲温度を検出しながら、その時の温度に対応する諸データをメモリから読み出して所定の演算を行って局部発振器の発振周波数信号を生成するものが提案されている。
【特許文献１】特開平９−２４７０３０号公報
【特許文献２】特開２００１−１０３１０６公報
【発明の開示】
【発明が解決しようとする課題】
【０００８】
しかしながら、上述したような従来の無線受信機やＩＦフィルタの補正方法では、ＩＦフィルタの帯域中心周波数と受信ＩＦ信号帯域の中心周波数とを一致させることは可能であるが、ＩＦフィルタの通過域のリップル特性や群遅延特性に関する補正がなされていないので、ＥＶＭ（Error Vector Magnitude：変調精度）悪化を防止することができないという欠点があった。即ち、IFフィルタの通過帯域に大きなリップルが存在すると通過信号に位相回転や振幅変化が発生し、ＦＳＫ等のデジタル変調信号が正確に復調できないことになる。近年多用されるようになった多値デジタル変調においては大きな問題となっている。
【０００９】
このような問題を解決するためには、従来、図７に示すように、トラッキングジェネレータ７１からの信号を調整対象のＩＦフィルタ７２に供給し、その出力をスペクトルアナライザ７３によって観測するものである。また近年、デジタル無線システム設計用に、ベクトルシグナルアナライザ等の測定器も用意されているので、それらを使用して、ＩＦフィルタ単体の通過域リップル特性や群遅延特性を詳細に測定し、それらのデータに基づいて、ＩＦフィルタの特性を補うようにしていたが、いずれの方法においても、一旦、組み立てた無線受信機に対しては、分解して対象のＩＦフィルタを取り出さないと、対策が施せないという問題があった。
【００１０】
本発明は、従来の無線受信機のＩＦフィルタ特性に関連する諸問題を解決するためになされたものであって、一旦組み立てた無線受信機を分解することなく、必要に応じてＩＦフィルタの特性変動を補う処理を行うことが可能な、無線受信機及び局部発振器の調整方法を提供することを目的としている。
【課題を解決するための手段】
【００１１】
本発明はこのような課題を解決するために、請求項１記載の無線受信機では、ローカル周波数信号を発振する局部発振器と、該ローカル周波数信号と受信信号とを混合するミキサと、該ミキサ出力信号から所要周波数帯域信号を抽出する中間周波フィルタと、を含む無線受信機において、前記局部発振器を制御しローカル周波数を所要範囲でスイープするローカル周波数制御手段と、スイープしたローカル周波数信号によって周波数変換したときの中間周波フィルタ出力信号における受信信号周波数スペクトルと中間周波フィルタの通過帯域との関連情報、中間周波フィルタの通過帯域のリップル特性情報、のいずれか一方、又はその両方を検出するフィルタ特性検出手段と、該フィルタ特性検出手段の検出結果に基づいて前記局部発振器のキャリブレーションを行うローカル周波数調整手段又は中間周波フィルタのリップル補正手段を備えたことを特徴としている。
【００１２】
請求項２記載の発明では、請求項１記載の無線受信機において、前記フィルタ特性検出手段が、中間周波フィルタ出力信号をデジタル信号に変換するＡＤ変換器と、該デジタルに変換した信号データに基づいて、中間周波信号に変換された受信信号の周波数スペクトルと中間周波フィルタの通過帯域との関連情報又は中間周波フィルタの通過帯域におけるリップル特性情報のいずれか一方又はその両方を検出し、リップル特性情報を検出した場合はそれに基づいて前記デジタルフィルタを制御することを特徴としている。
【００１３】
請求項３記載の発明では、請求項１又は２記載の無線受信機において、前記局部発振器がＰＬＬ周波数シンセサイザを含み、その可変分周器を制御することによって発振周波数を微小ステップでスイープする手段を備えたことを特徴としている。
請求項４記載の発明では、請求項１乃至３の何れか一項記載の無線受信機において、前記局部発振器が変調機能を備えた発振器であり、該変調信号としてスイープ信号を供給することによって、発振周波数を微小ステップでスイープすることを特徴としている。
【００１４】
請求項５及び６の発明は無線受信機のＩＦフィルタの特性変動を局部発振器の調整によって補正する方法に関するものであり、請求項５記載の局部発振器の調整方法は、ローカル周波数信号を発振する局部発振器と、該ローカル周波数信号と受信信号とを混合するミキサと、該ミキサ出力信号から所要周波数帯域信号を抽出する中間周波フィルタと、を含む無線受信機における局部発振器の調整方法において、局部発振器を制御しローカル周波数を所要範囲でスイープするローカル周波数制御ステップと、スイープしたローカル周波数信号によって周波数変換したときの中間周波フィルタ出力信号における受信信号周波数スペクトルと中間周波フィルタの通過帯域との関連情報、中間周波フィルタの通過帯域におけるリップル特性情報、のいずれか一方、又はその両方を検出するフィルタ特性検出ステップと、該フィルタ特性検出ステップの検出結果に基づいて前記局部発振器のキャリブレーションを行うローカル周波数調整ステップ又は中間周波フィルタのリップル補正ステップを含むことを特徴としている。
【００１５】
請求項６記載の発明は、請求項５記載の局部発振器の調整方法において、そのフィルタ特性検出ステップが、中間周波フィルタ出力信号をデジタル信号に変換するＡＤ変換ステップを含み、且つ、前記局部発振器がＰＬＬ周波数シンセサイザの可変分周器を制御することによって又は局部発振器が備えた変調入力端に変調信号としてスイープ信号を供給することによって発振周波数をスイープするステップを含むことを特徴としている。
【発明の効果】
【００１６】
本発明は以上のように構成し、又は処理するので、夫々以下の様な効果がある。先ず、請求項１記載の無線受信機では、局部発振器とミキサと中間周波フィルタとを含む無線受信機において、ローカル周波数を所要範囲でスイープし、スイープしたローカル周波数信号に基づく中間周波フィルタ出力信号から、中間周波フィルタの通過帯域特性やリップル特性を検出すると共に、この検出結果に基づいて前記局部発振器のキャリブレーションを行うように構成したので、一旦組み立てた無線受信機を分解することなくリップル特性変動も含めて補正調整することが可能となり、ＥＶＭの悪化による無線受信機の性能劣化を防止することが可能となる。
【００１７】
請求項２記載の発明では、請求項１記載の無線受信機において、フィルタ特性検出手段において、ＡＤ変換器により中間周波フィルタ出力信号をデジタル信号に変換するので、デジタルに変換した信号データに基づいて、中間周波フィルタの通過帯域情報、リップル特性情報の検出をデジタル処理することが可能であるので、通常、デジタル無線機等において備えているＤＳＰを有効に利用した処理が可能となる。
【００１８】
請求項３及び請求項４記載の発明では、請求項１又は２記載の無線受信機において、前記局部発振器がＰＬＬ周波数シンセサイザを含み、その可変分周器を制御することによって発振周波数を微小ステップでスイープするように構成したので、無線受信機が通常備えている機能を有効に利用して本発明を実施することが可能となる。特に、ＤＳＰを備えた無線受信機では、デジタル的にフィルタリングや発振機能を実現できるので、本発明の実施に好適である。
【００１９】
請求項５及び請求項６記載の発明では、請求項１乃至４記載の本発明の無線受信機を、処理方法として示したので、コンピュータが制御可能なＯＳに従ってプログラミングすることが容易となり、コンピュータ機能を備えた無線受信機であればそのプログラムをインストールすることにより、本発明の無線受信機の機能を実現可能である。
【発明を実施するための最良の形態】
【００２０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。以下本発明の実施態様例について説明する。
【００２１】
図１は本発明の一実施態様例を示す無線受信機のブロック図である。この例に示す無線受信機は、アンテナ１と、その受信高周波信号を増幅すると共に、不要高周波信号を除去するフロントエンド部２と、第一混合器（ミキサ：ＭＩＸ1）３と、第一中間周波フィルタ（１st・ＩＦフィルタ）４と、第二混合器（ミキサ：ＭＩＸ2）５と、中間周波出力信号をデジタル信号に変換するアナログ・デジタル変換器（Ａ／Ｄ変換器）６と、例えばＦＰＧＡ（Field Programmable Gate Array）等で構成するデジタルフィルタ７と、その出力の分析処理を行うＤＳＰ（Digital Signal Processor）８と、その結果に基づいて周波数制御信号等を生成する中央演算装置（マイクロコンピュータ：ＣＰＵ）９と、フェーズロックループ回路（ＰＬＬ）と電圧制御発振器（ＶＣＯ）が含まれていて微小周波数ステップで発振周波数を発生し、上記第一の混合器３にローカル周波数信号を供給する局部発振器１０と、上記第二の混合器５に第二ローカル周波数信号を供給する第二局部発振器１１とを備えている。なお、ＦＰＧＡは大規模ＰＬＤ（Programmable Logic Device）とも称される、論理回路を手元でプログラムできるデバイスで、マイクロプロセッサやＡＳＩＣの設計を取り込んでシミュレーションすることが可能なＬＳＩである。
【００２２】
この構成の無線受信機において、ＩＦフィルタの特性を補う方法について、調整状態の動作を模式的に描いた図２を参照しながら説明する。先ず、図示を省略したスイッチ等によって、調整モードにする。調整モードは、以下説明する機能を全うするために、外部から不要な受信信号等が混入しない状態において、アンテナ１、又は、図示を省略したアンテナ端子を介して、受信帯域中の所要基準周波数信号を供給するものである。その状態で、図２の２１に示すように、測定対象のＩＦフィルタ（帯域制限機能を有するＩＦフィルタ４、又は、５のいずれか）の通過帯域とその両側のサイドローブを含むように、若干広い周波数範囲で上記第一の局部発振器１０の発振周波数を、出力レベルを一定値に保ちながら変化させる（スイープする）。このとき可能な限り、微細な周波数ステップでスイープする方が、フィルタのリップルや位相特性を補正する能力が高くなる。このように局部発振器１０から第一混合器３に供給するローカル周波数信号が変化すると、帯域制限フィルタ（通常、第二ＩＦフィルタ５の場合が多い）出力には、図２の２２に示すように帯域制限フィルタ特性曲線に対応した出力が得られる。そこで、第二ＩＦフィルタ５の出力をデジタル信号に変換し、ＤＳＰ８によって、夫々の瞬時のＩＦ周波数に対応させて、レベルを検出すれば、図２の２２に相当する信号のデータが得られる。なお、このとき上記ＦＰＧＡ７によるデジタルフィルタの特性は、通過帯域は平坦（フラット）にしておく。
【００２３】
この計測結果のデータによれば、ＩＦフィルタの通過帯域周波数と、基準周波数信号との関連情報が得られるので、基準周波数信号がＩＦフィルタの通過帯域の中央に位置させるためには、局部発振器１０から第一混合器３に供給するローカル信号の周波数をどのような値にすべきかを決定することができる。なお、図２の２２の信号波形やデータから通過帯域中央部の周波数を求める方法は種々のものが考えられるが、例えば、特許文献１に示されたように、図２の波形２２における検出レベルが、通過帯域の両側の減衰域における信号レベルが、基準レベルより３ｄＢ低下する周波数の間を通過帯域と見なして、その中央値を求めればよい。この方法によれば、一旦、組み立てた無線受信機を分解することなく、内蔵するＩＦフィルタ特性を測定することができ、しかも、局部発振器の発振周波数を制御することによって、フィルタの通過帯域中心部と中間周波信号の中心周波数とを一致させることが可能である。
【００２４】
本発明では更に、通過帯域のリップルについての情報を得て、その補正も可能である。図３は、その説明を行うための波形図であり、図３（ａ）はＩＦフィルタを通過したときの信号波形の一例を示した波形図、図３（ｂ）は、ＩＦフィルタのリップルを補正する効果を説明する図である。いま、局部発振器の発振周波数を制御して、ＩＦフィルタの通過帯域中心周波数と、ＩＦ周波数信号の中心周波数とが一致した場合であっても、図３（ｂ）に示すようにＩＦフィルタの通過帯域中にリップルが存在すると、通過信号の位相回転が発生し、あるいは群遅延特性が劣化する可能性があり、その結果、正確な信号の復調が妨げられる場合がある。そこで、本発明では、上記ＦＰＧＡ７によるデジタルフィルタの特性を、図３（ｂ）２４に示すようにフィルタのリップルとは逆特性のものとする。即ち、ＩＦフィルタのリップル特性は、図３（ｂ）２３のように低い周波数域側が凹んでいるのに対し、上記ＦＰＧＡ７によるデジタルフィルタの特性は域波形図３（ｂ）の２４に示すように帯域の低域側に凸部を有するものとすれば、両者のリップル成分が互いに相殺され、結果的に図３（ｂ）２５に示すように平坦な出力信号が得られることになる。このようにすれば、ＩＦフィルタのリップルによる問題を解決することが可能となる。
【００２５】
以上説明した実施例は、要するに、局部発振器と、ミキサと、中間周波フィルタと、を含む無線受信機において、局部発振器を制御してローカル周波数を所要範囲でスイープさせ、そのときの中間周波フィルタ出力信号から、受信信号周波数スペクトルと中間周波フィルタの通過帯域との関連情報、中間周波フィルタの通過帯域のリップル特性情報を検出し、検出結果に基づいて局部発振器のキャリブレーションを行い、あるいは、中間周波フィルタのリップルを補正したものである。そして、中間周波フィルタ出力信号をデジタル信号に変換するＡＤ変換器を備えれば、処理をデジタル的に行うことが可能となるので、通常無線通信機が備えているＤＳＰ等のマイクロコンピュータ機能を有効に利用することが可能である。
【００２６】
図４は、本発明の他の実施態様例を示す無線受信機のブロック図であり、上記図１と同一ブロックは同一番号を付して、説明は省略する。この例は、局部発振器１２を通常のＰＬＬ発振回路とし、それに供給する基準信号発生器１３として、この例に限らないが、変調機能付きＴＣＸＯ（Temperature Compensated Crystal Oscillator）を使用した点が特徴である。そして、ＣＰＵ９の制御信号をＴＣＸＯの変調信号入力端子に供給することによって、上記実施例と同様に、微細な周波数ステップでスイープする。このように、発振器の変調機能を利用すれば、比較的容易に、微小周波数ステップのスイープが可能となるし、処理速度も速くなる。
【００２７】
なお、使用するＰＬＬシンセサイザとしては、例えば図５に示すものが知られている。即ち、図５に示すＰＬＬシンセサイザは、電圧信号によって発振周波数を制御する電圧制御発振器（ＶＣＯ）２１と、該ＶＣＯ２１の出力信号周波数を分周するＲＦ分周器２２と、その分周出力と外部から供給される基準周波数信号（Reference Frequency Signal：Ｒeff）とを比較して両者の周波数差又は位相差に応じた信号を出力する位相比較器（Phase Detector：ＰＤ）２３と、ＰＤ２３の出力信号から低域信号（直流信号成分）を取り出す低域フィルタ(ＬＰＦ)２４をループ状に接続したものが基本的な構成である。なお、上記基準周波数信号（Ｒeff）を分周するＲeff分周器２５を含む構成にしてもよい。
【００２８】
ＰＬＬ回路の動作については、既によく知られているので詳細な説明は省略するが、ＰＤ２３において基準周波数信号Ｒeff（又はその分周信号）とＶＣＯ２１の出力信号との周波数差または位相差に応じた信号を発生し、その信号から直流成分をＬＰＦ２４によって抽出し、この直流信号の電圧で前記ＶＣＯ２１の発振周波数を制御するものであり、前記ＰＤ２３で比較する基準周波数信号ＲeffとＶＣＯ２１の出力信号の周波数とが一致するように、即ち、ＬＰＦ２４から出力する直流信号電圧が小さくなるようにループ全体が動作するようになっている。
【００２９】
また、基準周波数信号のＲeff分周器２５又はＶＣＯ出力びＲＦ分周器２２のいずれかを可変分周器として、その分周率をＣＰＵ９の制御信号で変化させれば、上記図１乃至図３によって説明した局部発振器のスイープが可能である。
また、そのＰＬＬ回路の基準信号Ｒeff発生源として、変調機能付きＴＣＸＯを使用すれば、図４を用いて説明した第二の実施例に該当するものとなる。
【００３０】
本発明は以上説明した実施例に限定することなく、種々変形が可能である。例えば、ＩＦフィルタの通過帯域の中心周波数と、中間周波数の帯域中心周波数を一致させる代わりに、フィルタの通過帯域のうち比較的平坦な部分（リップルが少ない領域）を選択するように制御することも可能である。即ち、ＩＦフィルタの通過帯域幅は、受信信号（中間周波信号）の帯域幅より広く設定されているので、若干、互いの中心周波数をずらすことができるので、可能な範囲でリップルの小さな領域を選択して使用することも可能である。その上で、更に上述したリップル成分相殺処理を行えば、補正量が小さい分歪み等を小さくすることができるであろう。
【００３１】
なお、以上の説明では、ＦＰＧＡでデジタルフィルタを実現し、ＤＳＰで信号分析等を行ったが、いずれか一方の回路で両方の機能を実現することも可能であり、あるいは、両回路を一体化して両機能を実現することも可能であり、実際の実施に際しては適宜使い分けることが可能であろう。
また、本発明に係る無線受信機は送信機と一体にしたものであっても構わない。更には、本発明に係る無線受信機を含む無線通信機をユーザが実際に運用状態において、これらの無線機と通信可能な基地局やレピータから制御信号を送信することによって所要無線受信機を調整モードにすると共に、正確な基準周波数信号を送信し、それに基づいて上述した調整処理を自動的に行うようにもすることも可能であり、常に、ＩＦフィルタと通過帯域と受信ＩＦ信号との関係を理想的な状態に保つことができる。この方法によれば、無線受信機の経年変化等によるＩＦフィルタや局部発振器の周波数ずれに、運用を中止してメンテナンス期間に運ばなくても、本発明に基づいた保守メンテナンスが可能となる。以上説明したＩＦフィルタの中心周波数制御手段と、リップル成分相殺補正手段は、必ずしも両者同時に実施する必要はなく、いずれか一方のみを実施しても、十分に効果が得られることは云うまでもない。
【００３２】
更に、本発明の無線受信機の実現に必要な全ての機能ブロックをソフトウエアで実現することも可能である。例えば、近年、ソフトウエアラジオとして、高周波増幅回路機能についてもデジタル処理し、各種プログラミング手段によって、自在に種々の方式の通信システムに対応できるようになっているので、これらの技術を使用すれば、本発明の無線受信機や局部発振器の調整等を、ソフトウエア処理することが可能である。また、そのようなソフトウエアについて、夫々プログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは云うまでもない。この場合、記録媒体から読み出されたプログラム自体が上述した実施形態の機能を実現することになり、そのプログラムおよびそのプログラムを記録した記録媒体も本発明を実施する上で有用である。
【００３３】
市場に流通させる場合には、可搬型の記録媒体にプログラムを格納して流通させ、あるいは、インターネット等を介して接続されたサーバコンピュータの記憶装置にプログラムを格納しておき、インターネット等を通じて他のコンピュータに転送することもできる。
なお、コンピュータでは、可搬型の記録媒体上のプログラム、または転送されてくるプログラムを、コンピュータに接続した記録媒体にインストールし、そのインストールされたプログラムを実行することによって上述した実施形態の機能が実現される。
【図面の簡単な説明】
【００３４】
【図１】本発明にかかる無線受信機の一実施形態を示すブロック図である。
【図２】本発明の一実施形態例の動作を説明するための信号波形図である。
【図３】本発明の一実施形態例の動作を説明するための信号波形図であり、（ａ）はＩＦフィルタ通過後の信号の周波数スペクトル波形図、（ｂ）はリップル相殺処理を説明する概念図である。
【図４】本発明の他の実施形態にかかる無線受信機のブロック図である。
【図５】本発明において使用するＰＬＬ発振器の一例を示すブロック図である。
【図６】従来のＩＦフィルタ特性補正機能を備えた無線受信機のブロック図である。
【図７】従来のＩＦフィルタ特性を測定する方法を示す図である。
【符号の説明】
【００３５】
１  アンテナ、２  フロントエンド部、３，５  混合器（ＭＩＸ）、４  ＩＦフィルタ、６  Ａ／Ｄ変換器、７  ＦＰＧＡ、  ８  ＤＳＰ、９  ＣＰＵ、１０、１１、１２  局部発振器、１３  ＴＣＸＯ、２１  スイープ信号、２２、２３  ＩＦフィルタ通過信号、２４  デジタルフィルタの特性、２５  リップル補正後の出力信号スペクトル。
【図１】
2008048292.tif 000003
【図２】
2008048292.tif 000004
【図３】
2008048292.tif 000005
【図４】
2008048292.tif 000006
【図５】
2008048292.tif 000007
【図６】
2008048292.tif 000008
【図７】
2008048292.tif 000009